(57)【要約】      （修正有）【課題】軽量で手軽に収納運搬できる折り畳み型の卓上譜面台を提供する。【解決手段】平板による載置体１を設けるとともに、該平板を左右および上下に折り畳み可能とし、一方、該載置体１を保持するための保持体１０を設けるとともに、該保持体１０は、その上部から下方に向かうにつれて保持体１０中心から外方に向かう斜方稜線部を設け、該斜方稜線部下部に対し鋭角に交わって外方上方へ向かう稜線よりなる載置体受け部を設けるとともに左右に折り畳み可能なる板体よりなり、該載置体１と保持体１０との組み合わせよりなる。【選択図】図６
0003209483.tif 000002
【実用新案登録請求の範囲】
【請求項１】
平板による載置体を設けるとともに、該平板を左右および上下に折り畳み可能とし、一方、該載置体を保持するための保持体を設けるとともに、該保持体において、その上部から下方に向かうにつれて保持体中心から外方に向かう斜方稜線部を設け、該斜方稜線部下部に対し鋭角に交わって外方上方へ向かう稜線よりなる載置体受け部を設けるとともに左右に折り畳み可能なる板体よりなる保持体として、該載置体と保持体との組み合わせよりなることを特徴とする折り畳み型卓上譜面台。
【請求項２】
載置体における上下折り畳み箇所を１箇所としてなる請求項１記載の折り畳み型卓上譜面台。
【請求項３】
載置体における上下折り畳み箇所を２箇所とし、保持体における載置体受け部を、斜方稜線部に対し直角に交わる稜線とこの稜線に対し直交して上方へ向かう第２稜線を有するコ字形稜線部よりなる載置体受け部を有する保持体として、該載置体と保持体との組み合わせよりなることを特徴とする折り畳み型卓上譜面台。
【請求項４】
載置体および保持体の折り畳み箇所をテープ止めにて形成してなる請求項１から３のいずれかの項に記載の折り畳み型卓上譜面台。
【請求項５】
載置体および保持体の折り畳み箇所を、板体に設けた線状凹部にて形成してなる請求項１から３のいずれかの項に記載の折り畳み型卓上譜面台。
【考案の詳細な説明】
【技術分野】
【０００１】  この考案は、携帯に便利なる折り畳み型の卓上譜面台に関する。
【背景技術】
【０００２】  従来より、各種の譜面台が多用されているが、本案にて示すように、折り畳み可能なる二種の板体にて形成された卓上譜面台は見当たらない。
【考案の概要】
【考案が解決しようとする課題】
【０００３】  従来の譜面台は床置き型が大半である。すなわち、三等配の棒体による脚部と、この脚部より上方へ伸延している柱状部と、この柱状部上端に平板もしくは枠状の載置体が斜方に設けられて、この載置体上に譜面をのせて使用するものである。
この形状とサイズは運搬に適せず、また最近では机上に置いて用いる卓上型の譜面台も用いられている。この卓上型の譜面台は小型の合成樹脂板による載置体にステーを開閉可能に設けて、このステーを開いて載置体を机上に斜方載置して用いるものである。
しかし、その構成や使用材料などから、それなりの重量を有し、かつ、携帯を目的としているためにサイズ的に物足りなさを感じるものであり、やや高価という問題点を有している。
本案は以上に鑑み、携帯に便利であるとともにシンプルな構成および軽量であって、使用に際し適切な大きさを有する、新規かつ有用なる折り畳み型の卓上譜面台を提供することを目的として創案されたものである。
【課題を解決するための手段】
【０００４】  課題を解決する手段として本案は以下の構成とした。
すなわち、本案の第１は、平板による載置体を設けるとともに、該平板を左右および上下に折り畳み可能とし、一方、該載置体を保持するための保持体を設けるとともに、該保持体において、その上部から下方に向かうにつれて保持体中心から外方に向かう斜方稜線部を設け、該斜方稜線部下部に対し鋭角に交わって外方上方へ向かう稜線よりなる載置体受け部を設けるとともに左右に折り畳み可能なる板体よりなる保持体として、該載置体と保持体との組み合わせよりなることを特徴とする折り畳み型卓上譜面台である。
本案の第２は、載置体における上下折り畳み箇所を２箇所とし、保持体における載置体受け部を、斜方稜線部に対し直角に交わる稜線とこの稜線に対し直交して上方へ向かう第２稜線を有するコ字形稜線部よりなる載置体受け部を有する保持体として、該載置体と保持体との組み合わせよりなることを特徴とする折り畳み型卓上譜面台である。
また、載置体および保持体の折り畳み箇所をテープ止めにて形成し、あるいは、板体に設けた線状凹部にて形成してなる折り畳み型卓上譜面台である。
【考案の効果】
【０００５】  本案は、下記の効果を有する。
１．二つ折り可能なる２種の板体の組み合わせにて構成したので、容易に使用できるとと  もに収納と運搬に便利である。
２．載置体を開いた保持体にのせて用いるので、取り扱いが容易である。
３．保持体の載置体受け部を、保持体の稜線部に対し鋭角に設けることにより、譜面のペ  ージの乱れを防ぐことができる。
４．保持体の載置体受け部を略コ字形とし、載置体の二つ折り箇所を２箇所として、その  下部をコ字形に折曲できるものとして、この双方の組み合わせにて、より確実に譜面の  ページの乱れを防止することができる。
５．厚紙にて製作することにて、軽量で安価に製作することができる。
【図面の簡単な説明】
【０００６】
【図１】  本考案の載置体の正面図
【図２】  本考案の保持体の正面図
【図３】  本考案の載置体折曲状態図
【図４】  本考案の保持体折曲状態図
【図５】  本考案の折曲状態における載置体と保持体を重ねた図
【図６】  本考案の使用説明図
【図７】  本考案の使用説明図（側面視）
【図８】  本考案の第２例における載置体正面図
【図９】  本考案の第２例における保持体正面図
【図１０】  本考案の第２例における使用説明図（側面視）
【図１１】  本考案の第３例における載置体正面図
【図１２】  本考案の第３例における保持体の正面図
【図１３】  本考案の第３例における線状凹部説明図
【考案を実施するための最良の形態】
【０００７】  以下、本考案の実施形態について説明する。
図において、１は載置体である。この載置体は厚紙にて形成される長方形状板体である。
この載置体は４枚の厚紙を表裏からのテープ止めにて形成される。
２は左主板、３は主板より小サイズの左副板で、双方の板体は図１にて示されるように上下接続テープ４にて折り畳み可能に接続される。同様に５は右主板、６は右副板で上下にテープ接続される。
これらの左方板体と右方板体は左右接続テープ７にて接続されるが、このとき、左方板体端と右方板体端は直接接触せずにわずかの間隙を有してテープ接続され、これにより容易に折り畳んで左右の板体を重ねることができる。また、図のごとく各板体外周は装飾テープ８にて縁取りされる。以上のテープ接続と縁取りは表裏両面になされる。
以上により載置体が構成される。【０００８】  １０は保持体である。１１は略三角板形状の左保持体主板、１２は同様の右保持体主板で、厚紙にて形成され、その外周には載置体同様に装飾テープ１３にて縁取りされる。
また、双方の主板は左右接続テープ１４にて図２のように接続される。
上記の各主板は、主板上端から下方に向かう斜方の稜線部１５および１６を有し、この稜線部の下部は該稜線部に対し略直角に近い鋭角となる載置体受け部１７および１８となる。すなわち、稜線部下部から外方に向かうとともに上方へ向かう稜線部が形成される。
この保持体は図４のごとくその中央より折り畳んで重ねることが可能である。
以上が保持体１０の構成である。【０００９】  次に、本案の使用について説明する。
使用に際しては、まず机上に保持体を略直角に開いて立てる。次に載置体の下部に位置する左副板と右副板を略直角に手前に折曲し、この副板底面が載置体受け部上端に接するように図６にて示すごとく載置する。
以上の手順にて、斜方平面が机上に出現し、その下部はやや鋭角に手前に突出するので、ここに譜面を載置することができ、一般の譜面台同様に用いることができる。
副板は主板に対しやや鋭角に位置するので、譜面のページが不用意に開こうとするとき、そのページは副板上面に接して止まるために、ページがめくれてしまうことすなわちページの乱れを防止することができる。
既述の構成から、本品は折り畳んで左右を重ねることができるので、使用後は既述と逆手順にて折り畳んで図５のように平らに重ねることができる。既例では折り畳んだときにＡ４サイズであるために、一般のファイル同様のサイズとなって、収納と運搬に便利となる。【００１０】  図８〜図１０は本案の第２例を示すものである。
図において、２０は前例同様の左主板、２１は左第１副板、２２は左第２副板で、左第１副板下方にテープにて折り畳み可能に接続される。２３は右主板、２４は右第１副板、２５は右第２副板で同様にテープ接続される。
これらの左方板体と右方板体は、前例同様に折り畳み可能にテープにて接続される。
以上の構成から、各板体は各々折り畳み可能である。以上が載置体２６である。
３０は保持体である。３１は左保持体主板、３２は右保持体主板で、以上は前例と同様であり、相違点を以下に示す。【００１１】  ３３は左載置体受け部で、前例同様の稜線部３４の下端に対し保持体中心から外方に向かって上向き傾斜しつつ稜線部に対し直角に交わる第２稜線部３５が設けられ、この第２稜線部に対し直角に交わりつつ上方へ伸延する第３稜線部３６が設けられて、以上から略コ字形の左載置体受け部３３が形成される。３７はこの左載置体受け部と同様に形成される右載置体受け部である。【００１２】  本例の使用に際しては、前例同様に机上に保持体を開いて立て、載置体の各副板を上下方向に各々折曲して側面視コ字形部分を作り、これを保持体の載置体受け部に挿入載置し、載置体に譜面をのせる。この状態において、図１０にて示すように、載置体下部がコ字形となるために、譜面ページがめくれようとするとこのコ字形部分に当接するために、載置した譜面のページの乱れを確実に防止することができる。
使用後は前例同様に平らに折り畳んで収納することができる。【００１３】  図１１〜図１３は、本案の第３例を示すものである。
図において、４０は長方形厚紙による載置体、４１は該載置体の中央上端から下端に至る縦線状凹部で、図１３にて示すように、押圧によって紙厚を減少させた部分である。
４２は横線状凹部で、載置体の下部左端から右端に至る部分である。
５０は略三角形厚紙による保持体である。５１は前記同様の中央線状凹部である。
５２は第１稜線部、５３は第２稜線部で、第１稜線部に対し直角に近い鋭角にて交わる部分である。本例の使用に際しては、各線状凹部に沿って載置体と保持体を折曲し、既述と同様の手段にて使用する。
本例は、接続テープ等を用いない簡略方式としたもので、その効果は既例と同様である。
なお、この線状凹部に薄着色線を印刷すれば、この線を目印として折曲部分を明確とすることができる。【００１４】  以上本考案について記したが、本案は軽量なる厚紙にて載置体と保持体を形成し、双方を折り畳み可能としてその組み合わせにて卓上譜面台として、手軽に使用できるところにその特徴を有して、従来品にない利便性を有するものである。
既例においては折り畳んだとき、載置体と保持体の双方はＡ４サイズとなって、その収納性に優れて運搬も容易である。本案の特徴の一つは、載置体に載置した譜面のぺーじめくれ防止機能にある。初例においては稜線部とこの稜線部にやや鋭角に交わる上向き稜線により形成される載置体受け部を形成しており、載置された譜面の下端はこの載置体受け部に載置された載置体の上面に接して、そのめくれは制限されるために、ぺーじめくれすなわちページの乱れは防止されるのである。【００１５】  第２例では、コ字形の載置体受け部となるため、より確実にページの乱れは防止される。
本案は板体による構成のため、コンパクトに折り畳んでその収納性、運搬の容易さ、使用の簡便さ、製作コスト低減等種々の利便性を有する譜面台であり、主部が平板のために好みに応じて諸々の図案や模様を印刷表現することができる。
なお、本案はその構成から書見台としても十分に利用することができる。
【符号の説明】
【００１６】  １  載置体
２  左主板
３  左副板
４  上下接続テープ
５  右主板
６  右副板
７  左右接続テープ
８  装飾テープ
１０  保持体
１１  左保持体主板
１２  右保持体主板
１３  装飾テープ
１４  左右接続テープ
１５  稜線部
１６  稜線部
１７  載置体受け部
１８  載置体受け部
２０  左主板
２１  左第１副板
２２  左第２副板
２３  右主板
２４  右第１副板
２５  右第２副板
２６  載置体
３０  保持体
３１  左保持体主板
３２  右保持体主板
３３  左載置体受け部
３４  稜線部
３５  第２稜線部
３６  第３稜線部
３７  右載置体受け部
４０  載置体
４１  縦線状凹部
４２  横線状凹部
５０  保持体
５１  中央線状凹部
５２  第１稜線部
５３  第２稜線部
【図１】
0003209483.tif 000003
【図２】
0003209483.tif 000004
【図３】
0003209483.tif 000005
【図４】
0003209483.tif 000006
【図５】
0003209483.tif 000007
【図６】
0003209483.tif 000008
【図７】
0003209483.tif 000009
【図８】
0003209483.tif 000010
【図９】
0003209483.tif 000011
【図１０】
0003209483.tif 000012
【図１１】
0003209483.tif 000013
【図１２】
0003209483.tif 000014
【図１３】
0003209483.tif 000015
【手続補正書】
【提出日】平成28年12月22日(2016.12.22)
【手続補正１】
【補正対象書類名】実用新案登録請求の範囲
【補正対象項目名】請求項３
【補正方法】変更
【補正の内容】
【請求項３】
載置体における上下折り畳み箇所を２箇所とし、保持体における載置体受け部を、斜方稜線部に対し直角に交わる稜線とこの稜線に対し直交して上方へ向かう第２稜線を有するコ字形稜線部よりなる載置体受け部を有する保持体として、該載置体と保持体との組み合わせよりなることを特徴とする請求項１記載の折り畳み型卓上譜面台。